(57)【要約】【課題】広告・宣伝効果が高く、報知媒体が高品質の画像になるとともに、公共地域の建造物として美観や景観の点から周りの環境に好影響の環境適応形表示装置を提供する。【解決手段】電動機１４により、透明パネル８を所定の順序に基づいて格納部５から表示窓６に移動させるとともに、表示窓６に位置する透明パネル８を格納部５に戻して、表示窓６に透明パネル８を一体ずつ配する。偏平箱体２は表示窓６を前後両側に設けたため、偏平箱体２の前後両側から報知媒体１１を載せた透明パネル８の表示が可能となり、広告・宣伝効果が大幅に高まり、しかも透明パネル８が光を通して明るさを増し、報知媒体１１を良好なコントラストで輝かせて高品質の画像にし、公共地域の建造物として美観や景観の点から周りの環境に好影響をもたらす。【選択図】図２
2008051839.tif 000002
【特許請求の範囲】
【請求項１】
所定の場所に設置されるようになっており、遮蔽板で外部から遮られた格納部と前後両側に設けられた表示窓とを左右方向に有する偏平箱体と、
前記格納部内に並列するように配設されて、前記格納部と前記表示窓との間で一体ずつ左右方向に往復移動可能に設けられた複数体の透明パネルと、
これら透明パネルに剥離可能に貼着されて、各種の情報を載せた透明フィルム状の報知媒体と、
前記透明パネルを所定の順序に基づいて前記格納部から前記表示窓に往移動させるとともに、前記表示窓に位置する前記透明パネルを前記格納部に復移動させて、前記表示窓に前記透明パネルを一体ずつ配する駆動装置とを備えたことを特徴とする環境適応形表示装置。
【請求項２】
前記駆動装置は、前記偏平箱体内で前記透明パネルの両側端部に配されたプーリーと、  前記プーリーを正逆方向に回転駆動する電動機と、
前記プーリーに掛け渡されて一端部を前記透明パネルの左側端部に連結し、他端部を前記透明パネルの右側端に連結した索条帯体とからなることを特徴とする請求項１に記載の環境適応形表示装置。
【請求項３】
前記駆動装置は、前記透明パネルに対応して設けられて、駆動モータにより左右方向に往復旋回可能に取付けられた作動レバーからなり、前記作動レバーの往旋回により前記透明パネルを前記表示窓に往移動させ、前記作動レバーの復旋回により前記透明パネルを前記格納部に復移動させることを特徴とする請求項１に記載の環境適応形表示装置。
【請求項４】
前記透明パネルは、縦揺れおよび横揺れを規制するローラおよびスライドベアリングがそれぞれ設けられた横型レールに沿って左右に移動することを特徴とする請求項１に記載の環境適応形表示装置。
【請求項５】
前記駆動装置は、前記透明パネルに対応して設けられて、駆動モータにより回転駆動される螺子棒と、
前記透明パネルに設けられて前記螺子棒を螺進退可能に螺合するナット部とからなり、  前記螺子棒の左回転により前記透明パネルを前記表示窓に往移動させ、前記螺子棒の右回転により前記透明パネルを前記格納部に復移動させることを特徴とする請求項１に記載の環境適応形表示装置。
【請求項６】
脚部を介して地上に設置されて、遮蔽板で外部から遮られた格納部と前後両側に設けられた表示窓とを左右方向に有する偏平箱体と、
前記格納部内に並列するように配設されて、前記格納部と前記表示窓との間で二体ずつ左右方向に往復移動可能に設けられた複数体の透明パネルと、
これら透明パネルに剥離可能に貼着されて、各種の情報を載せた透明フィルム状の報知媒体と、
前記透明パネルを所定の順序に基づいて前記格納部から前記表示窓に往移動させるとともに、前記表示窓に位置する前記透明パネルを前記格納部に復移動させ、前記表示窓に前記透明パネルを二体ずつ配する駆動装置と、
前記表示窓に配せられる二体の前記透明パネルの間に存するように設けた照明部材とを備えたことを特徴とする環境適応形表示装置。
【発明の詳細な説明】
【技術分野】
【０００１】
本発明は、偏平箱体内に複数体の透明パネルを格納し、所定の順序で表示窓に移動させることにより、一連の表示を連続的に繰り返して行う環境適応形表示装置に関する。
【背景技術】
【０００２】
店舗、商店および飲食店などを抱えた商業地域では、軒先をはじめ駐車場や道路沿いに、商品をはじめサービスや料理品目の情報を伝える表示装置が広告案内塔として建てられている。この種の表示装置のなかには、筐体の内部で吊持部材により吊り上げられた複数体の表示体を設けたものがある（例えば、特許文献１参照）。
この表示装置では、上部に位置する複数体の表示体のうち、最前列の表示体から所定の時間間隔で一体ずつ後列側の表示体にわたって降下させて筐体の下部に滞在させている。全ての表示体が降下した時、全表示体を一斉に上部に引上げて、最初の動作から循環的に繰り返し、異なる宣伝情報を載せた表示体を表示窓により一体ずつ表示している。
【特許文献１】特開平７−０２８４１６号公報
【発明の開示】
【発明が解決しようとする課題】
【０００３】
ところが、特許文献１の表示装置では、小型化が図られて全体がコンパクトな構成になってはいるものの、表示体の表示面が前面側に限られていることからも分かるように、表示窓は筐体の片側のみに設けられている。このため、表示装置を地上に設置した場合、筐体の後面側は単なる盲板となって広告・宣伝効果が半減するとともに、公共地域の建造物としては、美観や景観の点から周りの良好な環境保全に適さなくなる虞がある。
【０００４】
本発明は上記の事情を考慮してなされたもので、その目的は前後両側から報知媒体を載せた透明パネルを表示することができ、広告・宣伝効果が大幅に高まり、しかも透明パネルが光を通して明るさを増し、報知媒体を良好なコントラストで輝かせて高品質の画像にするので、公共地域の建造物として美観や景観の点から周りの環境に好影響をもたらす優れた環境適応形表示装置を提供することにある。
【課題を解決するための手段】
【０００５】
（請求項１について）
偏平箱体は、所定の場所に設置されるようになっており、遮蔽板で外部から遮られた格納部と前後両側に設けられた表示窓とを左右方向に有する。複数体の透明パネルは、格納部内に並列するように配設されて、格納部と表示窓との間で一体ずつ左右方向に往復移動可能に設けられている。これら透明パネルには、各種の情報を載せた透明フィルム状の報知媒体が剥離可能に貼着されている。駆動装置により、透明パネルを所定の順序に基づいて格納部から表示窓に往移動するとともに、表示窓に位置する透明パネルを格納部に復移動して、表示窓に透明パネルを一体ずつ配する。
【０００６】
偏平箱体は表示窓を前後両側に設けているので、偏平箱体の前後両側から報知媒体を載せた透明パネルを表示することができ、広告・宣伝効果が大幅に高まり、しかも透明パネルが光を通して明るさを増し、報知媒体を良好なコントラストで輝かせて高品質の画像にするので、公共地域の建造物として美観や景観の点から周りの環境に好影響をもたらす優れた効果を奏する。
また、透明フィルム状の報知媒体は、透明パネルに剥離可能に貼着されているので、報知媒体の内容を更新する場合、報知媒体を透明パネルから剥がして新内容の報知媒体を透明パネルに貼るだけで、簡単かつ迅速に更新できる利点がある。
【０００７】
（請求項２について）
駆動装置は、偏平箱体内でプーリーを透明パネルの両側端部に配し、電動機によりプーリーを正逆方向に回転駆動する。索条帯体は、プーリーに掛け渡されて一端部を透明パネルの左側端部に連結し、他端部を透明パネルの右側端に連結している。
この場合、駆動装置をプーリー、索条帯体および電動機から構成したので、入手が容易な既存のものを使用でき、安全かつコスト的に有利となる。
【０００８】
（請求項３について）
駆動装置は、透明パネルに対応して設けられて、駆動モータにより左右方向に往復旋回可能に取付けられた作動レバーからなり、作動レバーの往旋回により透明パネルを往移動させ、復旋回により透明パネルを復移動させるようにしている。
この場合、比較的簡素な構造で透明パネルの左右方向の移動動作を入手が容易な既存の駆動モータおよび作動レバーにより確実に行うことができるので、請求項２と同様に安全でコスト的に有利である。
【０００９】
（請求項４について）
透明パネルは、縦揺れおよび横揺れをそれぞれ規制するローラおよびスライドベアリングがそれぞれ設けられた横型レールに沿って左右に移動する。
このため、透明パネルが横型レールに沿って移動する際、透明パネルに縦揺れや横揺れが生じず、左右方向の円滑な案内動作を実現する。
【００１０】
（請求項５について）
駆動装置は螺子棒およびナット部を有する。螺子棒は、透明パネルに対応して設けられて、駆動モータにより回転駆動される。ナット部は、透明パネルに設けられて螺子棒を螺進退可能に螺合する。螺子棒の左回転により透明パネルを表示窓に往移動させ、螺子棒の右回転により透明パネルを格納部に復移動させる。
この場合も、比較的簡素な構造で透明パネルの左右方向の移動動作を入手が容易な既存の駆動モータ、螺子棒およびナット部により確実に行うことができるので、請求項２と同様に安全でコスト的に有利である。
【００１１】
（請求項６について）
偏平箱体は、脚部を介して地上に設置されるようになっており、遮蔽板で外部から遮られた格納部と前後両側に設けられた表示窓とを左右方向に有する。複数体の透明パネルは、格納部内に並列するように配設されて、格納部と表示窓との間で二体ずつ左右方向に往復移動可能に設けられている。これら透明パネルには、各種の情報を載せた透明フィルム状の報知媒体が剥離可能に貼着されている。駆動装置により、透明パネルを所定の順序に基づいて格納部から表示窓に往移動させるとともに、表示窓に位置する透明パネルを格納部に復移動させて、表示窓に透明パネルを二体ずつ配する。照明部材は、表示窓に配される二体の透明パネルの間に存するように設けられている。
【００１２】
照明部材を表示窓において二体の透明パネルの間に存するように設けたので、照明部材の点灯により、偏平箱体の前後両側の表示窓から異なる報知媒体を載せた二体の透明パネルで表示することができ、広告・宣伝効果が実質的に倍増する。
しかも、透明パネルが光を通して明るさを増して報知媒体を良好なコントラストで輝かせて高品質の画像にするので、請求項１と同様に公共地域の建造物として美観や景観の点から周りの環境に好影響をもたらす優れた効果を奏する。
【発明を実施するための最良の形態】
【００１３】
本発明では、偏平箱体は表示窓を前後両側に設けているので、偏平箱体の前後両側から各種の情報を伝える報知媒体を載せた透明パネルを表示することができ、広告・宣伝効果が大幅に高まり、しかも透明パネルが光を通して明るさを増し、報知媒体を良好なコントラストで輝かせて高品質の画像にするので、公共地域の建造物として美観や景観の点から周りの環境に好影響をもたらす。
【実施例１】
【００１４】
図１ないし図４に基づいて本発明の実施例１を説明する。
本発明に係る環境適応形表示装置１は、図１に示すように、店舗、商店、飲食店あるいは駐車場などの地上Ｇに設置されるもので、偏平箱体２から下方に延出された脚部３を地上Ｇに固定している。
【００１５】
偏平箱体２は、図２の（ａ）に示すように、遮蔽板４により外部から遮られた格納部５と前後両側に設けられてガラス６ａが嵌められた表示窓６とを左右方向に有している。図２の（ａ）では、表示窓６は前後両側に図示されているが、偏平箱体２を設置して視認することから、見る人の対面方向によっては、表示窓６が偏平箱体２の左右両側にあるとすることも可能である。図２の（ｂ）は、偏平箱体２の内底部において、後述する電動機１４、タイミングベルト１４ｈおよび透明パネル８との連結構造を示す。
【００１６】
偏平箱体２の左右両側には、図３に示すように、例えばアクリル樹脂などにより矩形状に形成された透明パネル８を左右方向に移動案内する断面略コ字状の横型レール７が設けられている。横型レール７には、縦揺れおよび横揺れをそれぞれ規制するローラ９およびスライドベアリング１０がそれぞれ設けられ、透明パネル８にがたつきのない左右方向の円滑な案内動作を実現している。透明パネル８は、偏平箱体２の格納部５内に並列するように複数体（例えば、四体）配設されて、格納部５と表示窓６との間で一体ずつ往復移動可能になっている。  
【００１７】
透明パネル８には、各種の情報を載せた透明フィルム状の報知媒体１１が剥離可能に貼着され、例えば結婚式場の宣伝、商業上の商品、料理、ならびに商業地区で提供すべきサービスなどの一連の内容を表示できるようになっている。透明パネル８は光透過性のため、報知媒体１１を透明パネル８の片面に貼着することにより、報知媒体１１を透明パネル８の表裏両面から視認することができる。
【００１８】
偏平箱体２の内底部付近には、図４（ａ）に示すように、左右方向にレール２ｂを敷いた張り板２ａが水平方向に配設されている。透明パネル８の下端には、コの字状の金具２ｃを介してローラ２ｄが取付けられている｛図４の（ｂ）参照｝。透明パネル８は、ローラ２ｄをレール２ｂに設置することによりレール２ｂに沿って左右に移動可能となる。
【００１９】
電動機１４は、透明パネル８を移動させる駆動装置として設けられたもので、各透明パネル８に対応して設置されており、スペース上の観点から左右方向に対して前後に斜めとなるように配列されている。
駆動プーリー１４ｆおよび従動プーリー１４ｇは、透明パネル８の左右両側端部に配されて電動機１４により正逆方向に回転駆動される。タイミングベルト１４ｈは、索条帯体として駆動プーリー１４ｆと従動プーリー１４ｇとに掛け渡され、一端部を透明パネル８の左側端部８Ａに連結し、他端部を透明パネル８の右側端部８Ｂに連結している。
【００２０】
電動機１４への通電時、駆動プーリー１４ｆを正回転させて、タイミングベルト１４ｈを右方向に移動することにより透明パネル８を表示窓６に配し（図４の矢印Ａ参照）、駆動プーリー１４ｆを逆回転させて、タイミングベルト１４ｈを左方向に移動することにより透明パネル８を格納部５に戻す（図４の矢印Ｂ参照）。
【００２１】
電動機１４は、通断電制御用の制御部（図示せず）に接続されており、予めプログラム化されたシーケンス動作に基づいて制御される。この制御に基づいて、透明パネル８を所定の順序で格納部５から表示窓６に往移動するとともに、表示窓６に位置する透明パネル８を格納部５に復移動して、表示窓６に透明パネル８を一体ずつ配する。
【００２２】
制御部の作動例として、最前列の透明パネル８を格納部５から表示窓６に移動し、所定時間後に最前列の透明パネル８を格納部５に戻し、二列目の透明パネル８を表示窓６に移動させる表示モードがある｛図２の（ａ）参照｝。所定時間後、二列目の透明パネル８を格納部５に戻し、三列目の透明パネル８を表示窓６に移動するといった動作を最前列から最後列の透明パネル８にかけて循環的に繰り返し、全体の透明パネル８を一体ずつ表示窓６に配して、報知媒体１１の内容を表示窓６から広告・宣伝情報として伝える。
【００２３】
この場合、最前列の透明パネル８を格納部５に戻すと同時に、二列目の透明パネル８を移動し始め、最前列の透明パネル８の全体を格納部５に収納すると同時に、二列目の透明パネル８の全体を表示窓６の全面に配してもよい。
【００２４】
上記構成の偏平箱体２は表示窓６を前後両側に設けているので、偏平箱体２の前後両側から報知媒体１１を載せた透明パネル８を表示することができ、広告・宣伝効果が大幅に高まる。
しかも、透明パネル８が光を通して明るさを増し、報知媒体１１を良好なコントラストで輝かせて高品質の画像にするので、公共地域の建造物として美観や景観の点から周りの環境に好影響をもたらすものである。
【００２５】
透明フィルム状の報知媒体１１は、透明パネル８に剥離可能に貼着されているので、報知媒体１１の内容を更新する場合、報知媒体１１を透明パネル８から剥がして新内容の報知媒体を透明パネル８に貼るだけで、簡単かつ迅速に更新できる利点がある。
透明パネル８は、ローラ２ｄをレール２ｂに沿って左右に移動する構成のため、小さい駆動力で透明パネル８の移動が可能となり、電動機１４の消費電力を抑制することができる。
【実施例２】
【００２６】
図５及び図６は本発明の実施例２を示す。実施例２が実施例１と異なるところは、駆動装置に駆動モータ１９と作動レバー１８とを用いたことである。作動レバー１８は、偏平箱体２内で透明パネル８の上端面に対応して設けられた駆動モータ１９により駆動される。
【００２７】
すなわち、図６に示すように、作動レバー１８の一端部は、駆動モータ１９の回転軸１９ａから径小プーリー１９ｅ、ベルト１９ｂおよび径大プーリー１９ｃを介して回転力を受ける支軸１９ｄに嵌着されている。作動レバー１８は他端部に軸長穴１８ｅを形成し、透明パネル８の先端部に形成した縦長穴８ａに沿って摺動可能なピン２１を設けている。この場合、四体の透明パネル８のそれぞれに作動レバー１８を設けているが、最前列にある一体の透明パネル８を代表させて駆動装置を説明した。
【００２８】
駆動モータ１９は、予めプログラム化された手順で制御部（図示せず）により駆動制御されるようになっており、作動レバー１８を左右方向に往復旋回可能に取付けている。この際、作動レバー１８の往旋回により透明パネル８を表示窓６に往移動し（図６の矢印Ｄ参照）、復旋回により透明パネル８を格納部５に復移動するようにしている（図６の矢印Ｃ参照）。このため、実施例２でも実施例１と同様な効果が得られる。
【実施例３】
【００２９】
図７は本発明の実施例３を示す。実施例３が実施例１と異なるところは、照明部材として発光ダイオードなどからなるランプ２３を表示窓６に設置するとともに、透明パネル８を格納部５と表示窓６との間で二体ずつ左右方向に往復移動可能に設けたことである。
【００３０】
すなわち、ランプ２３は、表示窓６において二体ずつ位置させた透明パネル８の間に存するように設けられている。制御部のプログラムを変更することにより、透明パネル８を所定の順序に基づいて格納部５から表示窓６に移動し、表示窓６に位置する透明パネル８を格納部５に戻して、透明パネル８を表示窓６に二体ずつ配する。
【００３１】
実施例３では、表示窓６においてランプ２３を二体の透明パネル８の間に設けたので、ランプ２３の点灯時、前後両側の表示窓６から異なる報知媒体１１を載せた二体の透明パネル８を表示することができ、広告・宣伝効果が実質的に倍増する。
しかも、透明パネル８が光を通して明るさを増して報知媒体１１を良好なコントラストで輝かせて高品質の画像にするので、請求項１と同様に公共地域の建造物として美観や景観の点から周りの環境に好影響をもたらす。
【実施例４】
【００３２】
図８および図９は本発明の実施例４を示す。実施例４が実施例１と異なるところは、図８の（ａ）、（ｂ）に示すように、電動機１４を偏平箱体２の左側端中央部２Ａに設けたことである。電動機１４の駆動プーリー１４ｆは、図９に示すように、電動機１４の回転軸１４ａに嵌着されて所定量だけ芯ずれした状態で対向配置されている。
タイミングベルト１４ｈは、図８の（ａ）に示すように、駆動プーリー１４ｆと従動プーリー１４ｇとに掛け渡されている。タイミングベルト１４ｈの一端部は、透明パネル８の左側端部８Ａにピン８ｂにより連結され、他端部は透明パネル８を横切って右側端部８Ｂにピン８ｃにより連結されている。
【００３３】
このように構成しても、電動機１４の正逆回転により、透明パネル８をタイミングベルト１４ｈを介して格納部５と表示窓６との間で左右に往復移動させることができる。このため、実施例１と同様な効果が得られる。
【実施例５】
【００３４】
図１０は本発明の実施例５を示す。実施例５が実施例１と異なるところは、実施例１の駆動プーリー１４ｆ、タイミングベルト１４ｈおよび従動プーリー１４ｇの代わりに、螺子棒１４ｋおよびナット部１４ｍから駆動装置を構成したことである。
【００３５】
螺子棒１４ｋは、透明パネル８に対応して設けられて、正逆回転型の電動機１４により回転駆動される。ナット部１４ｍは、透明パネル８の下端部に固定具１４ｎにより取付けられており、螺子棒１４ｋを螺進退可能に螺合する。電動機１４の回転軸１４ｊはカプラー１４ｐにより螺子棒１４ｋに接続されている。螺子棒１４ｋの左回転により透明パネル８を表示窓６に往移動させ、螺子棒１４ｋの右回転により透明パネル８を格納部５に復移動させる。
この場合も、比較的簡素な構造で透明パネル８の左右方向の移動動作を入手が容易な既存の電動機１４、螺子棒１４ｋおよびナット部１４ｍにより確実に行うことができるので、実施例１と同様に安全でコスト的に有利である。
【００３６】
（ａ）なお、各実施例における透明パネル８の個体数は、四体や八体に限らず所望に設定することができる。環境適応形表示装置１は、所定の場所として駐車場などの地上Ｇに設置したが、一方の表示窓６を建物の壁部などに沿わせて取付けてもよい。この場合、他方の表示窓６から透明パネル８の報知媒体１１を視認できるので、報知媒体１１の良好な表示効果を維持することができる。
【００３７】
（ｂ）透明パネル８に貼着する報知媒体１１の表示内容は、広告・宣伝に限らず、名所旧跡、地理、地域の伝達事項、病院の外来案内、交通機関の時間表、イベント行事、演奏会、学校行事、天候・地震・火災の警報情報あるいは有名人による講演会などを案内するガイド機能を有するものであってもよい。
（ｃ）光透過性のため、報知媒体１１は透明パネル８の片面に貼着したが、互いに異なる報知媒体を透明パネル８の表裏に貼着するようにしてもよい。
【００３８】
（ｄ）透明パネル８は矩形に限らず、平行四辺形、楕円形、菱形あるいは台形など各種の形状であってもよく、その材質はアクリル樹脂に限らず、強化ガラスなど透明なものであればよい。
（ｅ）駆動装置のタイミングベルト１４ｈ、駆動プーリー１４ｆおよび従動プーリー１４ｇの代わりに、ラックとピニオンからなる伝達機構やスプロケットにチェーンを掛け渡す駆動機構を設けてもよい。
【００３９】
（ｆ）表示窓６と格納部５との位置関係は、各実施例とは逆に左部に表示窓６を設けて、右部に格納部５を設けるようにしてもよい。
（ｇ）透明パネル８を表示窓６と格納部５との間で往復移動させる順序は、表示内容や表示状況に応じてプログラムを所望に変更することができ、前列の透明パネル８が移動し切らないうちに、後列の透明パネル８を戻して両者が表示窓６で部分的に重複する経過をたどる移動パターンに設定してもよい。この際、透明パネル８が前後列で移動する時間間隔は、報知媒体１１の表示内容などに応じて所望に変更してもよい。
【産業上の利用可能性】
【００４０】
環境適応形表示装置の偏平箱体は表示窓を前後両側に設けているので、偏平箱体の前後両側から各種の情報を伝える報知媒体の透明パネルを表示することができ、広告・宣伝効果が大幅に高まり、しかも透明パネルが光を通して明るさを増し、報知媒体を良好なコントラストで輝かせて高品質の画像にするので、公共地域の建造物として美観や景観の点から周りの環境に好影響をもたらす。周りの環境を保全しながら広告・宣伝などの優れた案内機能を求める需要者の増加に伴い、化学・機械部品などの流通を介して化学・機械産業界へ広く適用することができる。
【図面の簡単な説明】
【００４１】
【図１】地上に設置した環境適応形表示装置を示す斜視図である（実施例１）。
【図２】（ａ）は環境適応形表示装置を示す縦断面図、（ｂ）は電動機、タイミングベルトおよび透明パネルとの連結構造を示す拡大部分縦断面図である（実施例１）。
【図３】（ａ）は透明パネルに取付けたローラおよびスライドベアリングを示す上面図、（ｂ）は透明パネルに取付けたローラを示す破断正面図である（実施例１）。
【図４】（ａ）は駆動装置を示す斜視図、（ｂ）はローラがレールに設置された態様を示す拡大斜視図である（実施例１）。
【図５】駆動装置を示す拡大上面図である（実施例２）。
【図６】駆動装置および透明パネルを模式的に示す正面図である（実施例２）。
【図７】環境適応形表示装置を示す縦断面図である（実施例３）。
【図８】（ａ）はタイミングベルトと透明パネルとの連結状態を示す上面図、（ｂ）は環境適応形表示装置を模式的に示す正面図である（実施例４）。
【図９】電動機、駆動プーリーおよび従動プーリーからなる駆動装置を示す側面図である（実施例４）。
【図１０】（ａ）は螺子棒およびナット部を有する駆動装置を示す斜視図、（ｂ）はローラがレールに設置された態様を示す拡大斜視図である（実施例５）。
【符号の説明】
【００４２】
１      環境適応形表示装置
２      偏平箱体
３      脚部
４      遮蔽板
５      格納部
６      表示窓
７      横型レール
８      透明パネル
９      ローラ
１０    スライドベアリング
１１    報知媒体
１４    電動機（駆動装置）
１４ｆ  駆動プーリー（駆動装置）
１４ｇ  従動プーリー（駆動装置）
１４ｈ  タイミングベルト（駆動装置、索条帯体）
１４ｋ  螺子棒（駆動装置）
１４ｍ  ナット部（駆動装置）
１８    作動レバー（駆動装置）
１９    駆動モータ（駆動装置）
２３    ランプ（照明部材）
Ｇ      地上（所定の場所）
【図１】
2008051839.tif 000003
【図２】
2008051839.tif 000004
【図３】
2008051839.tif 000005
【図４】
2008051839.tif 000006
【図５】
2008051839.tif 000007
【図６】
2008051839.tif 000008
【図７】
2008051839.tif 000009
【図８】
2008051839.tif 000010
【図９】
2008051839.tif 000011
【図１０】
2008051839.tif 000012